(57)【要約】      （修正有）【課題】特定の板幅と一又は複数種類の板厚から成る主材の規格材に対し、補助部材で支柱部材を面で捉え、接地面積を増やすことで構造体の強度を上げ、木材の捻じれに対応し、容易に組み立てることができる特徴を持つ木製組み立て補助部材を提供する。【解決手段】特定の板幅と一又は複数種類の板厚から成る主材の規格材に対し、ベース部材１０、中間部材１１、固定部材１２で構成された部材を用い、部材の木口面の短辺を水平に配した状態において、ベース部材１０は棚の奥行に相当する板の長さであり、ベース部材１０の両端に支柱部材を配する空間として板幅分を短くした中間部材１１が板面相互に接合され、ベース部材１０に対して中間部材１１が突出した略凸型の形状を成し、前記支柱部材配置部と中間部材当接部に複数の貫通した打ち込み金具用の下穴２０を設け、前記板の長さと同様の固定部材１２で支柱部材を挟み込み、固定する構造を特徴とする。【選択図】図１
0003182295.tif 000002
【実用新案登録請求の範囲】
【請求項１】
特定の板幅と一又は複数種類の板厚から成る主材の規格材に対し、ベース部材１０、中間部材１１、固定部材１２とで構成され、これらの部材の木口面の短辺を水平に配した状態において、ベース部材１０は棚の奥行に相当する板の長さであり、ベース部材１０の板面に、両端夫々に支柱部材を配する空間として板幅分だけ短くした中間部材１１が板面相互に接合され、ベース部材１０に対して中間部材１１が突出した略凸型の形状を成し、前記の板の長さの固定部材１２には、前記支柱部材配置部と中間部材当接部に複数の貫通した打ち込み金具用下穴２０が設けられていることを特徴とする木製組み立て補助部材。
【請求項２】
前記規格材が、１×４材又は２×４材であることを特徴とする請求項１に記載の木製組み立て補助部材。
【考案の詳細な説明】
【技術分野】
【０００１】  本考案は、組み立て式の棚を組み立てるための補助部材に関する。
【背景技術】
【０００２】  従来より、棚などの家具や建具を組み立てる際に、組み手や継ぎ手を用いて構造体として組み立てられていることは知られている。組み手や継ぎ手は機械加工、手加工などの技術を用いて加工されるものであり、専門的な知識と技術を要求される。主に、テーブル、椅子、棚などの仕口部分に、様々な組み手や継ぎ手が使用されている。組み手や継ぎ手は構造の強度を高めると共に、造形的な美しさも高めることができる。そのため、多くの家具、建具には上記の技法を用いられ組み立てが行われている。【０００３】  そして、このような組み手や継ぎ手部分を単体の構造部材として、提案がなされている。
例えば、特許文献１には、プラスティックなどの合成樹脂素材で成型され、長方形の断面をもつ木材を、かみ合わせ部分を備えた構造部材を用いて構造体に組み立てる補助部材が提供されている。この部材は長方形の断面をもつ木材を受けるために少なくとも一つの穴を成形し、この穴は長方形で、二つの長い側部と二つの短い側部とをもち、この穴に三つのリブを備え、第一と第二のリブはこの穴の長い側部の中央に夫々に形成し、第三のリブは短い側部の中央に形成することを特徴としている。上記の、リブが成形された穴に長方形の断面をもつ木材を挿入することにより、三点のリブで木材を受ける構造である。
【先行技術文献】
【特許文献】
【０００４】
【特許文献１】ＵＳ６３２７８３０Ｂ１号公報
【考案の概要】
【考案が解決しようとする課題】
【０００５】  しかしながら特許文献１の提案では、構造部材と長方形の断面を持つ板材で実際に組み立てを行う場合に、構造部材の長方形に成型された穴に対し、長方形の断面を持つ板材を挿入する際、構造部材の接点が三点のリブのみであるため、組み立てることはできるが、接地面積が少なく、構造上の強度が弱く不安定であり、構造部材としての機能が十分ではないことがあげられる。また、構造部材の形状から、組み立て後に任意で構造部材を追加することができず、構造部材を一度取り外さなければならない。さらに、異素材を取り付けることにより、意匠性がそこなわれてしまうという問題点がある。【０００６】  そこで、本考案は、特定の板幅と一又は複数種類の板厚から成る主材の規格材に対し、補助部材で支柱部材を面で捉え、接地面積を増やすことで構造体の強度を上げ、木材の捻じれにも対応し、容易に組み立てることができ、組み立て後に任意で補助部材を追加することができる特徴を持つ木製組み立て補助部材を提案することを目的とする。
【課題を解決するための手段】
【０００７】  上記目的を達成するために、本考案は、以下の組み立て補助部材を提供する。
特定の板幅と一又は複数種類の板厚から成る主材の規格材に対し、長方形の断面を持つベース部材、中間部材、固定部材とで構成され、これらの部材の木口面の短辺を水平に配した状態において、ベース部材は棚の奥行に相当する板の長さであり、ベース部材の板面に、両端夫々に支柱部材を配する空間として板幅分だけ短くした中間部材が板面相互に接合され、ベース部材に対して中間部材が突出した略凸型の形状を成し、前記の板の長さの固定部材には、前記支柱部材配置部と中間部材当接部に複数の貫通した打ち込み金具用下穴を備えたことを特徴とする。
【考案の効果】
【０００８】  本考案の補助部材を使用することにより、次の効果を奏する。ここで、板材又は部材は、詳細は後述するが、それぞれが有する長短で区別されるものとする。
（１）本考案は、ベース部材、中間部材、固定部材から成る構造であり、ベース部材の板面に、両端夫々に支柱部材を配する空間として、板幅分短くした中間部材が板面相互に接合され、ベース部材に対して中間部材が突出した略凸面の形状であり、前記の中間部材に設けられた空間に木口面の短辺を水平に配したベース部材、中間部材に垂直方向に支柱部材を配し、固定部材をベース部材及び中間部材に対し平行に配し、打ちこみ金具で固定する構造であるため、支柱部材の捻じれなど、木材特有の変形を抑制する働きがある。また、あらかじめねじれが発生している支柱部材にも上記と同様の効果が得られる。
（２）本考案は、考案の効果（１）に記述の構造であるため、外側の固定部材は打ちこみ金具による接合方法であり、組みあがった構造体の打ちこみ金具を取り外すだけで、容易に取り外し、分解することが可能である。
（３）本考案は、単体の支柱部材を共用し、取り付けを行うことにより、棚板の段数を増設することが可能であり、支柱部材を共有することで上部、中間部の間に更に補助部材を取り付けることにより横方向に対して棚を増設でき、２列の棚が支柱つなぎで結合を行うことが可能な構造である。
（４）構造上、組み立て部材はコーナー及び数か所に取り付けを行い、棚段数は複数になる場合はコーナー上部・下部の取り付け位置の間にさらに複数個の補助部材を取り付けるため、補助部材の数が増えることで、強固な構造となる。
（５）ベース部材、中間部材、固定部材を木口面の短辺を水平に配し、支柱部材及び棚板の取り付けを行った際、支柱部材は中間部材に設けられた支柱部材配置部の空間に配することにより、中間部材の木口面が支柱部材のガイドとなり、補助部材に対し、垂直方向に直角に取り付けることが可能である。
（６）本考案では、ベース部材、中間部材、固定部材とで支柱部材を挟み込む方法で組むことにより三枚組み継ぎの効果があり、従来の金属性補助部品を使用した構造と比べ、接地面積が広く、非常に強固な組み立てを行うことができる。また、前記補助部材と特定の板幅と一又は複数種類の板厚から成る主材の規格材に対し、テーブル、椅子、等の構造体の組み立てにも応用が可能である。
（７）本考案の組み立て補助部材はすべて木製であるため、同素材を使用することにより、見た目の違和感がなく自然な仕上がりとなる。
【図面の簡単な説明】
【０００９】
【図１】本考案の第一実施例の木製組み立て補助部材を示す斜視図である。
【図２】本考案である木製組み立て補助部材と支柱とを挟み込む際の工程を示した斜視図である。
【図３】図２で示した工程後、打ちこみ金具を使用し、組み立て補助部材と支柱を接合した際の形を示した斜視図である。
【図４】図３で示した組み立て補助部材を支柱上部及び下部、中間部に取り付けを行った工程と、実施例である棚の側板２枚を示した斜視図である。
【図５】支柱上部に取り付けを行った組み立て補助部材と棚板を打ちこみ金具を使用し、取り付けを示した斜視図である。
【図６】支柱下部に取り付けを行った組み立て補助部材と棚板を打ちこみ金具を使用し、取り付けを示した斜視図である。また、中間部に取り付けを行った組み立て補助部材の棚板の取り付け方法もこの工程と同様である。
【図７】第一実施形態に基づく図１〜図６の工程を行い、製作することができる棚の完成例を示した斜視図である。
【考案を実施するための形態】
【００１０】  以下、本考案の実施の形態を、実施例を示した図面を参照しつつ具体的に説明する。これらの図において、同一の符号を付した部分は同一物を表しており、基本的な構成等は同様であるものとする。
【００１１】  図１、図２、図３は組み立ての第一工程を示す斜視図であり、図４は図１、図２、図３の工程により、棚の側板部分を示す斜視図である。また、図５、図６は第二工程を示す斜視図である。これらの図において、同一の符号を付した部分は同一物を表しており、基本的な構成等は同様であるものとする。
【００１２】  図１のベース部材１０、中間部材１１、固定部材１２、補助部材は木製であり、原木が裁断された後、乾燥等の工程を経て製材された板材であり、中間部材１１の厚みは規格材の厚みと同様である。
【００１３】  また、前記規格材とは特定の板幅と一又は複数種類の板厚から成る材料で、長方形の断面を持つ木材であり、１×４材又は２×４材などの規格寸法材料である。
【００１４】  図２のベース部材１０と中間部材１１はあらかじめ一体化された部材で、ベース部材１０、中間部材１１、固定部材１２は幅が同一であり、ベース部材１０、固定部材１２は長手方向が同一である。中間部材１１は両端夫々に支柱部材を配する空間として板幅分だけ長手方向に短く、厚みは規格材の厚みと同様である。固定部材１２は支柱部材配置部と中間部材当接部に複数の貫通した打ち込み金具用下穴２０が設けられており、ベース部材１０と中間部材１１が一体となった部材に、中間部材１１の両端の支柱部材を配する空間に支柱部材を挟み込む際のあて板の役割を果たす。
【００１５】  図３の打ち込み金具３０ａはベース部材１０、中間部材１１、固定部材１２とで支柱部材１３を挟み込む際、それらの板材を接合させる役割を果たす。
【００１６】  また、固定部材１２の打ちこみ金具用下穴２０に、打ち込み金具３０ａを打ち、接合を行った斜視図である。支柱部材１３はベース部材１０、中間部材１１、固定部材１２に対し長手方向を垂直に配した状態であるため、ベース部材１０、中間部材１１、固定部材１２は支柱部材１３に対し水平であり、直角の関係である。
【００１７】  図４の支柱部材１３、図５の棚板（長）１４、図６の棚板（短）１５は特定の板幅と一又は複数種類の板厚から成る主材の規格材であり、長さ方向を任意で変更でき、任意の寸法の棚がつくることが可能である。また、棚板（長）１４は、棚の支柱としての役割を果たす。また、棚板（長）１４棚板（短）１５は棚板の役割を果たし、棚板（短）１５は棚の幅方向いっぱいの長さであり、棚板（短）１５は棚板（短）１４の板材から中間部材１１と固定部材１２の板厚を長手方向の両端から引いた長さである。
【００１８】  また、図４は図１、図２、図３の工程を支柱部材１３の上部、中間、下部に取り付けを行った図面である。上部、下部、中間部分の順に取り付けることで、棚の側板の構造体となる。中間部にとりつけを行った補助部材は上部、下部の間であれば任意の位置に取り付けることができ、間口の高さ方向を調整することが可能である。図４のように側板を二枚作ることにより、両側板の製作が完了となる。
【００１９】  図５の打ち込み金具３０ａは棚板（長）１４と板材（短）１５をベース部材１０と中間部材１１の一体化した部材に対し、垂直に打ちこみ取り付けを行うものである。
【００２０】  また、支柱部材１３の上部に取り付けを行った補助部材に棚板（長）１４の取り付けを行う工程を示した図である。棚板（長）１４を固定部材１２と面一になるよう接合する。このとき打ち込み金具３０ａを使用し、ベース部材１０に向かって垂直方向に打ち込む。
【００２１】  図６は支柱部材１３の下部に取り付けを行った補助部材に棚板（長）１４を（００１９）と同様に作業を行い、棚板（短）１５を固定部材１０に向かって垂直方向に打ち込む工程を示す図である。棚板（短）１５は棚板（長）１４から、中間部材１１と固定部材１２の厚み分の長さを長手方向の両端から引いた長さである。
【００２２】  また、（００１９）の取り付け方法は、図４の示す棚板（１３）の中間部分に取り付けた補助部材に棚板（長）１４と棚板（短）１５を取り付ける方法と同様である。
【００２３】  図７は図１〜図６の工程で組み上げた完成品の斜視図である。
【符号の説明】
【００２４】１０    ベース部材
１１    中間部材
１２    固定部材
１３    支柱部材
１４    棚板（長）
１５    棚板（短）
２０    打ちこみ金具用下穴
３０ａ  打ちこみ金具
【図１】
0003182295.tif 000003
【図２】
0003182295.tif 000004
【図３】
0003182295.tif 000005
【図４】
0003182295.tif 000006
【図５】
0003182295.tif 000007
【図６】
0003182295.tif 000008
【図７】
0003182295.tif 000009